(57)【要約】      （修正有）【課題】電気コネクタの送電線の動きによるコンタクトデバイスの動きを減らす。【解決手段】止めばね４００が止め本体４１０とばねデバイス４２０とを有し、ばねデバイス４２０により止め本体４１０のプレストレス力Ｆを使用可能にすることができ、電気コンタクトデバイスアセンブリ１０または電気コネクタ用のコンタクトデバイス止めばね４００であって、止めばね４００が止め本体４１０とばねデバイス４２０とを有し、ばねデバイス４２０により止め本体４１０のプレストレス力Ｆを使用可能にすることができ、止め本体４１０により、コネクタのコンタクトチャンバ内でコネクタのコンタクトデバイス３００にプレストレス力Ｆを加えることができる、コンタクトデバイス止めばね４００に関する。【選択図】図４
2017098242.tif 000002
【特許請求の範囲】
【請求項１】
低電圧、中電圧もしくは高電圧および／または低電流範囲、中電流範囲もしくは高電流範囲における適用のための、電気コンタクトデバイスアセンブリ（１０）または電気コネクタ（１）用のコンタクトデバイス止めばね（４００）であって、
前記止めばね（４００）が止め本体（４１０）とばねデバイス（４２０）とを有し、前記ばねデバイス（４２０）により前記止め本体（４１０）のプレストレス力（Ｆ）を使用可能にすることができ、前記止め本体（４１０）により、前記コネクタ（１）のコンタクトチャンバ（１３；１３０、２３０）内で前記コネクタ（１）のコンタクトデバイス（３００）に前記プレストレス力（Ｆ）を加えることができることを特徴とする、コンタクトデバイス止めばね（４００）。
【請求項２】
前記止め本体（４１０）がプレストレス部分（４３０）を有し、前記プレストレス部分（４３０）により、前記止め本体（４１０）が前記コンタクトデバイス（３００）に係合可能であり、かつ／または、
前記ばねデバイス（４２０）により前記プレストレス力（Ｆ）を前記プレストレス部分（４３０）に、好ましくは略垂直に印加することができるように、前記ばねデバイス（４２０）が前記止めばね（４００）に／前記止めばね（４００）内に配置されることを特徴とする、
請求項１に記載のコンタクトデバイス止めばね（４００）。
【請求項３】
前記ばねデバイス（４２０）が、前記止めばね（４００）の特に平面である材料層により構成され、かつ／または、
前記プレストレス部分（４３０）が、前記止めばね（４００）の縁部（４３０）、特に外縁部（４３０）、好ましくは凹状外縁部（４３０）により構成されることを特徴とする、
請求項１または２に記載のコンタクトデバイス止めばね（４００）。
【請求項４】
前記止め本体（４１０）が好ましくは略箱型の明確な外形を有し、
前記ばねデバイス（４２０）が、好ましくは幅狭の前端壁（４１１）により部分的に構成され、前記プレストレス部分（４３０）が、前記止め本体（４１０）の好ましくは幅狭の、好ましくは短い長手方向側壁（４１３）により部分的に構成されることを特徴とする、
請求項１〜３のいずれか一項に記載のコンタクトデバイス止めばね（４００）。
【請求項５】
前記止めばね（４００）がスリーブ式コンタクトデバイスの上ばね（４００）として構成され、
前記止めばね（４００）が金属、特に薄板金から製造され、
前記止めばね（４００）が２つのばねデバイス（４２０）を有し、
前記ばねデバイス（４２０）のばねアーム（４２２）が、前記止め本体（４１０）の貫通スロット（４２１）により構成され、
前記貫通スロット（４２１）が略Ｕ字型に構成され、
前記ばねアーム（４２２）が略Ｉ字型またはＬ字型に構成され、
前記止め本体（４１０）が、好ましくは幅狭の、好ましくは長い長手方向側壁（４１２）により部分的に構成され
前記止め本体（４１０）が、少なくとも１つの好ましくは幅広の横側壁（４１４、４１５）により部分的に構成され、かつ／または、
前記止めばね（４００）が、一体に、物質的に一体に、または一体化して構成されることを特徴とする、
請求項１〜４のいずれか一項に記載のコンタクトデバイス止めばね（４００）。
【請求項６】
ハウジング（１００／２００、２）と、前記ハウジング（１００／２００、２）のコンタクトチャンバ（１３０／２３０、１３）内に配置された電気コンタクトデバイス（３００）とを備えた、低電圧、中電圧もしくは高電圧および／または低電流範囲、中電流範囲もしくは高電流範囲における適用のための、電気コンタクトデバイスアセンブリ（１０）または電気コネクタ（１）、特に電気プラグコネクタ（１）であって、
前記コンタクトデバイス（３００）が、コンタクトデバイス止めばね（４００）により、少なくとも１つの空間方向に機械的にプレストレスを与えられて、前記コンタクトチャンバ（１３０／２３０、１３）内に受け入れられることを特徴とする、
電気コンタクトデバイスアセンブリ（１０）または電気コネクタ（１）。
【請求項７】
前記コンタクトデバイス（３００）が、前記コネクタ（１）のプラグイン方向（Ｓ）、前記コネクタ（１）の前記プラグイン方向（Ｓ）に垂直な方向、前記コネクタ（１）からの送電線（３）の送出方向（Ａ）、および／または前記送電線（３）の前記送出方向（Ａ）に垂直な方向に機械的にプレストレスを与えられて、前記コンタクトチャンバ（１３０／２３０、１３）内に受け入れられることを特徴とする、
請求項６に記載の電気コンタクトデバイスアセンブリ（１０）または電気コネクタ（１）。
【請求項８】
前記止めばね（４００）の少なくとも１つの部分が、前記ハウジング（１００／２００、２）のカバー壁（１１１）と前記コンタクトデバイス（３００）との間に配置され、かつ／または、
前記コンタクトデバイス（３００）の長手方向自由端部分が、前記止めばね（４００）内に／前記止めばね（４００）に受け入れられることを特徴とする、
請求項６または７に記載の電気コンタクトデバイスアセンブリ（１０）または電気コネクタ（１）。
【請求項９】
前記止めばね（４００）が、好ましくは長手方向側壁（４１３）により構成されたプレストレス部分（４３０）により、前記コンタクトデバイス（３００）にプレストレス力（Ｆ）を及ぼし、かつ／または、
前記コンタクトデバイス（３００）が、前記プレストレス部分（４３０）が係合する前記コンタクトデバイス（３００）の側と略反対の１つの側で、前記止めばね（４００）から突出することを特徴とする、
請求項６〜８のいずれか一項に記載の電気コンタクトデバイスアセンブリ（１０）または電気コネクタ（１）。
【請求項１０】
前記止めばね（４００）がばねデバイス（４２０）を有し、前記ばねデバイス（４２０）により、前記プレストレス力（Ｆ）を前記コンタクトデバイス（３００）に及ぼすことができ、
前記ばねデバイス（４２０）が、前記カバー壁（１１１）の作動突起（１１２）により、または前記カバー壁（１１１）により作動されることを特徴とする、請求項６〜９のいずれか一項に記載の電気コンタクトデバイスアセンブリ（１０）または電気コネクタ（１）。
【請求項１１】
前記コンタクトデバイス（３００）がブッシングコンタクトデバイス（３００）として構成され、
前記止めばね（４００）が略嵌め合いにより前記コンタクトチャンバ（１３０／２３０、１３）内に受け入れられ、
前記コンタクトデバイス（３００）上への前記止めばね（４００）のプラグイン方向が、前記コネクタ（１）の前記プラグイン方向（Ｓ）に略平行に配置され、
前記止めばね（４００）内への前記コンタクトデバイス（３００）のプラグイン方向が、前記コネクタ（１）の前記プラグイン方向（Ｓ）に略垂直に配置され、かつ／または、
前記コンタクトデバイスアセンブリ（１０）または電気コネクタ（１）が、
請求項１〜５のいずれか一項に記載のコンタクトデバイス止めばね（４００）を有することを特徴とする、
請求項６〜１０のいずれか一項に記載の電気コンタクトデバイスアセンブリ（１０）または電気コネクタ（１）。
【請求項１２】
請求項１〜１１のいずれか一項に記載のコンタクトデバイス止めばね（４００）、電気コンタクトデバイスアセンブリ（１０）および／または電気コネクタ（１）を有することを特徴とする、
特に自動車分野のデバイス、モジュール、器具、装置、機構またはシステム。
【発明の詳細な説明】
【技術分野】
【０００１】
本発明は、特に車両の低、中もしくは高電圧および／または電流範囲における適用のための、電気コンタクトデバイスアセンブリまたは電気コネクタ用のコンタクトデバイス止めばね、電気コンタクトデバイスアセンブリおよび／または電気コネクタ、特に電気プラグコネクタに関する。本発明はさらに、特に自動車分野のデバイス、モジュール、器具、装置、機構、またはシステムに関する。
【背景技術】
【０００２】
広範囲の電流、電圧、周波数および／またはデータ速度を有する電流、電圧、信号および／またはデータを伝送する役割を果たす、多数の電気接続デバイス、ブッシングコネクタおよび／またはピンコネクタなど（以下で（電気）（相手側）コネクタまたは（相手側）接続デバイスと呼ぶ）が、電気分野（電子機器、電気工学、電気器具、電気エネルギー技術など）において知られている。低、中もしくは高電圧および／または電流範囲において、特に自動車分野で、そのようなコネクタは、暑い、場合により高温の、汚染された、湿度の高い、および／または化学的に腐食性の環境で、短期間に、かつ／または恒久的に、電力、信号および／またはデータの、問題のない伝送を保証しなければならない。広範囲の適用により、多数の特別に構成されたコネクタが知られている。
【０００３】
そのようなコネクタまたはそのハウジングを、例えば、電気、電気光学または電子部品またはそのような電力装置のハウジング上／ハウジング上内、またはプリント回路基板に／プリント回路基板上になど、送電線、ケーブル、ケーブルハーネスおよび／または電気デバイスに設置することができ、この場合、（相手側）コネクタデバイスについて述べられることが多い。コネクタが送電線、ケーブルまたはケーブルハーネスのみに位置する場合には、（フライング）（プラグイン）コネクタまたはプラグまたはカップリングについて主に述べられ、コネクタが電気、電子または電気光学部品上／内に位置する場合には、（取付）プラグまたは（取付）ブッシングなどの（取付）コネクタについて主に述べられる。さらに、このようなデバイスとのコネクタは、プラグレセプタクルまたはヘッダと呼ばれることが多い。
【０００４】
例えば車両で生じ得る高振動応力については、電気プラグ接続において、コネクタ（または相手側コネクタ）のコンタクトデバイスと相手側コネクタ（またはコネクタ）のコンタクトデバイスとの間、例えばブッシングコンタクトデバイスとタブコンタクトデバイスとの間に相対運動があり得る。相手側コネクタ内／上のコネクタのすでに固定されたプラグハウジングから始まって、コネクタのコンタクトチャンバ内におけるコンタクトデバイスの動きが主に妨げられる。特に関連する送電線の移動するアースを通るコネクタと相手側コネクタとの間の電気コンタクト領域に、動きが伝えられることがある。
【発明の概要】
【発明が解決しようとする課題】
【０００５】
本発明の課題は、電気コネクタに電気的に関連付けられた送電線の動きによる、電気コネクタ内の電気コンタクトデバイスの動きを減らすことである。この場合、コネクタのプラグイン方向、またはコネクタから離れる、もしくはこれに垂直な送電線の送出方向における動きの吸収およびこれによる力の吸収が最も重要である。したがって、本発明の課題は、電気コネクタ、電気コネクタ用の電気コンタクトデバイスアセンブリ、またはこのためのデバイスを特定することである。コネクタまたはコンタクトデバイスアセンブリを製造するための簡単な工具構造を考慮に入れて、これを達成可能にすべきである。
【課題を解決するための手段】
【０００６】
本発明の問題は、独立請求項に従って、低電圧、中電圧もしくは高電圧および／または低電流範囲、中電流範囲もしくは高電流範囲における適用のための、電気コンタクトデバイスアセンブリまたは電気コネクタ用のコンタクトデバイス止めばね、電気コンタクトデバイスアセンブリおよび電気コネクタ、特に電気プラグコネクタ、ならびに、特に自動車分野のデバイス、モジュール、器具、装置、機構、またはシステムにより解決される。さらなる有利な発展、追加の特徴および／または本発明の利点は、従属請求項および以下の説明から生じる。
【０００７】
本発明によるコンタクトデバイス止めばねは、止め本体とばねデバイスとを有し、ばねデバイスにより止め本体のプレストレス力を使用可能にすることができ、止め本体により、コネクタのコンタクトチャンバ内でコネクタのコンタクトデバイスにプレストレス力を加えることができる。止めばねは、止め本体がコンタクトデバイスに係合可能であり、ばねデバイスをコネクタにより作動できるように構成されてよい。
【０００８】
この結果、コンタクトデバイスを停止させる、または支持することができ、コンタクトデバイスを止めばねによりコンタクトチャンバの壁に押し付けることができる。ここで、力が反対方向に、すなわちばねデバイスからのばね力と略反対に補償されるため、コンタクトデバイスがコンタクトチャンバ内で少なくともこれらの方向に動くことができないか、または比較的大きい力を及ぼすことによってのみこれらの方向に動くことができる。送電線からの力をこれによって補償してもよい。
【０００９】
例示的な一実施形態では、止め本体がプレストレス部分を有し、このプレストレス部分により、止め本体がコンタクトデバイスに係合可能である。さらに、例示的な実施形態において、ばねデバイスによりプレストレス力をプレストレス部分に、好ましくは略垂直に印加することができるように、ばねデバイスが止めばねに／止めばね内に配置される。ばねデバイスを、止めばねの特に平面の材料層により構成してもよい。さらに、プレストレス部分を止めばねの縁部、特に外縁部、好ましくは凹状外縁部により構成してもよい。
【００１０】
止め本体は、略立方形の明確な外形を有してよく、ばねデバイスは、好ましくは幅狭の前端壁により部分的に構成され、プレストレス部分は、止め本体の好ましくは幅狭の、好ましくは短い長手方向側壁により部分的に構成される。言い換えると、止めばねは、好ましくは幅狭の前端壁によって、６つの面のうちの１つで略閉じ、止めばねは、好ましくは短い長手方向側壁によって、１つの面で部分的に開く。ばねデバイスを有する好ましくは幅狭の前端壁と反対側で、止めばねは少なくとも部分的に開くか、または完全に開いた第２の前端部を有する。
【００１１】
さらに、止め本体を、好ましくは幅狭の、好ましくは長い長手方向側壁により部分的に構成してもよい。言い換えると、止めばねは、好ましくは幅狭の長手方向側壁によって１つの面で閉じる。加えて、止め本体を、少なくとも１つの好ましくは幅広の横側壁により部分的に構成してもよい。言い換えると、止めばねは、好ましくは幅広の横側壁によって１つの面で閉じる。止めばねは、２つのそのような横側壁を有することが好ましい。言い換えると、止めばねを、スリーブ式コンタクトデバイスの上ばね（ｏｖｅｒｓｐｒｉｎｇ）として構成してもよい。
【００１２】
例示的な実施形態では、止めばねを金属、特に薄板金から製造してもよい。止めばねは、打ち抜かれ、必要であれば型押しされ、曲げられた薄鋼板から製造されることが好ましい。例えばゴムまたはプラスチックなどの弾性変形可能な材料を含む他の材料を使用してもよい。止めばねは、２つのばねデバイスを有することが好ましい。ばねデバイスのばねアームを、止め本体の貫通スロットにより構成してもよい。貫通スロットを、略Ｕ字型に構成してもよく、かつ／または、ばねアームを略Ｉ字型またはＬ字型に構成してもよい。
【００１３】
止めばねを、一体に、実質的に一体に、または一体化して構成してもよい。これは、止め本体とばねデバイスとを互いに一体に、実質的に一体に、または一体化して構成してもよいことも意味する。この文脈で、「一体に」とは、止め本体とばねデバイスとを容易に分離することができず、すなわち少なくとも圧力嵌めおよび／または嵌め合いにより共に保持されることを意味するものである。止め本体とばねデバイスとは、適切可能であれば圧力嵌めおよび／または嵌め合いを含む堅い結合によって構成される場合、実質的に一体であり、すなわち損傷を与えることなくこれらを分離することができない。止め本体とばねデバイスとは、略均一に構成されるか、または単一部品で製造される場合、一体化して構成される。これを同様に止めばねに変えてもよい。
【００１４】
本発明による電気コンタクトデバイスアセンブリまたは本発明による電気コネクタは、ハウジングと、ハウジングのコンタクトチャンバ内に配置された電気コンタクトデバイスとを備え、コンタクトデバイスは、コンタクトデバイス止めばねにより、少なくとも１つの空間方向に機械的にプレストレスを与えられて、コンタクトチャンバ内に受け入れられる。ここで、コンタクトデバイスは、例えば、コネクタのプラグイン方向、コネクタのプラグイン方向に垂直な方向、コネクタからの送電線の送出方向、および／または送電線の送出方向に垂直な方向に機械的にプレストレスを与えられて、コンタクトチャンバ内に受け入れられる。他の方向を当然使用してもよい。
【００１５】
例示的な実施形態では、止めばねの少なくとも１つの部分をハウジングのカバー壁とコンタクトデバイスとの間に配置してもよい。さらに、コンタクトデバイスの長手方向自由端部分（コンタクト部分）（すなわち、コンタクトデバイスの送電線と反対側）を止めばね内に／止めばねに受け入れてもよい。さらに、止めばねは、好ましくは長手方向側壁により構成されたプレストレス部分により、コンタクトデバイスにプレストレス力を及ぼしてもよい。加えて、コンタクトデバイスは、プレストレス部分が係合するコンタクトデバイスの側と略反対の一側で、止めばねから突出してもよい。
【００１６】
止めばねは、ばねデバイスを有してもよく、このばねデバイスにより、プレストレス力をコンタクトデバイスに及ぼすことができる。ここで、ばねデバイスは、止めばねの材料層で切り離されたばねアームとして構成されることが好ましい。ここで、ばねデバイスを、カバー壁の作動突起により作動させることができる。これを運動学的に反転させること、すなわち作動突起を省き、例えば、今度は止めばねから離れて外向きに立つばねアームとしてばねデバイスを設けることが当然可能であり、すなわち、そのような場合、ばねデバイスは、カバー壁により作動可能であるか、またはカバー壁により作動される。
【００１７】
コンタクトデバイスを、ブッシングコンタクトデバイスとして構成してもよい。別のコンタクトデバイスを当然使用してもよい。止めばねは、主にまたは略嵌め合いによりコンタクトチャンバ内に受け入れられることが好ましい。これは、止めばねの明確な外形、好ましくは立方形と、コンタクトチャンバの明確な内形、したがって同じく好ましくは立方形とが、略同一であり、これら２つの明確な形状の体積も主にまたは略同一であることも意味する。コンタクトデバイス上への止めばねのプラグイン方向を、コネクタのプラグイン方向に略平行に配置してもよい。さらに、止めばね内へのコンタクトデバイスのプラグイン方向を、コネクタのプラグイン方向に略垂直に配置してもよい。
【００１８】
本発明によるコンタクトデバイスアセンブリまたは本発明による電気コネクタは、本発明によるコンタクトデバイス止めばねを有する。本発明によるデバイス、本発明によるモジュール、本発明による器具、本発明による装置、本発明による機構、または本発明によるシステムは、本発明によるコンタクトデバイス止めばね、本発明による電気コンタクトデバイスアセンブリ、および／または本発明による電気コネクタを有する。
【００１９】
本発明によれば、コンタクトデバイスに作用する動き（機械的運動量）から力を吸収するために、コンタクトデバイスは、コネクタのコンタクトチャンバ内で停止可能であり、もしくは停止され、または支持可能であり、もしくは支持される。この場合、コンタクトデバイスの停止または支持は、１つ、２つ、または全３つの空間方向に行うことができる。コネクタのプラグイン方向への、かつ／またはコネクタの送電線の送出方向に垂直な停止または支持による力の吸収が、ここでは好ましい。本発明を、例えば、約９０°および約０°／１８０°の送電線送出方向を有する平坦コンタクトシステムまたは円形コンタクトシステムで使用してもよい。本発明は、他のコンタクトシステムでも当然使用可能である。
【００２０】
以下で、添付の詳細な図面を参照しながら、本発明について、例示的な実施形態を用いてさらに詳細に説明する。これらの図面は縮尺通りではない。同一、一義、または同様の構成および／または機能を有する要素、構造要素または部品が、図面の説明、符号の説明、および特許請求の範囲において、同一の参照符号により、および図中の同一の参照符号により特徴付けられる。本発明の説明する例示的な実施形態または個々のアセンブリ、その部品または部分に関する、考えられる代替形態、静的および／または運動学的反転、組合せなどは、明細書で説明せず、図面に示さず、かつ／または完全ではないが、符号の説明から推測することができる。
【００２１】
符号の説明の特徴を含む説明する特徴のすべてを、１つまたは複数の特定の組合せのみで使用してもよいだけでなく、別の組合せまたは他の組合せまたは単独で使用してもよい。特に、本発明の説明において参照符号および関連する特徴、図面の説明および／または符号の説明を使用して、本発明の説明および／または図面の説明における１つまたは複数の特徴を差し替えることが可能である。さらに、特許請求の範囲における１つまたは複数の特徴を、より詳細に解釈、特定し、かつ／または置き換えてもよい。
【図面の簡単な説明】
【００２２】
【図１】相手側コネクタに互いに差し込まれた状態の、本発明による電気コネクタの閉じた外面図である。
【図２】互いに差し込まれた２つの電気コンタクトデバイス、コネクタ、および相手側コネクタの領域における、図１のコネクタおよび相手側コネクタの長手方向断面図である。
【図３】コンタクトデバイスがアセンブリの上部ハウジングに挿入された、図１のコネクタの電気コンタクトデバイスアセンブリの開いた下部図である。
【図４】２つのハウジングシェル、２つの遮蔽ケーシング、コンタクトデバイス、およびコンタクトデバイス上の本発明による止めばねを有する、図３のアセンブリの断面側面図である。
【図５】アセンブリが下部ハウジングをさらに有する、図３と同様のアセンブリを示す図（ｖｉｅｗ  ａｎｄ  ｄｅｐｉｃｔｉｏｎ）である。
【図６】送電線が設けられたコンタクトデバイスと、コンタクトデバイス上に設けられた本発明によるコンタクトデバイス止めばねとを示す図である。
【図７】止めばねのプレストレス部分が見える、本発明による止めばねの長辺図である。
【図８】止めばねのばねデバイスが見える、本発明による止めばねの前端図である。
【発明を実施するための形態】
【００２３】
以下、本発明（図１〜図８）についてさらに詳細に説明する。以下では、自動車分野（エレクトロモビリティ、ハイブリッド技術、燃料電池など）の高電圧電気コネクタ１または高電圧電気コネクタデバイス１の変形例を図示した実施形態の例示的な実施形態を使用する。本発明はそのような変形例および／または本実施形態に限定されず、より基本的な性質を有するため、自動車分野または電気工学分野などの非自動車分野において、あらゆるコネクタまたはコネクタデバイスまたは相手側コネクタまたは相手側コネクタデバイスに適用可能である。
【００２４】
さらに、電気コネクタ１または電気コネクタデバイス１および相手側電気コネクタ５または相手側電気コネクタデバイス５、電気コンタクトデバイスアセンブリ１０および電気コネクタ１、コネクタ１の電気コンタクトデバイス３００および相手側コネクタ５の電気コンタクトデバイス５３、電気ブッシングコンタクトデバイス３００および電気タブまたはピンコンタクトデバイス５３という名称は、同義である、すなわち各々が互いに入れ替え可能であると解釈されるべきである。
【００２５】
本発明によるアタッチメントまたは本発明によるコネクタ１は、例えば、低／中／高電圧または電流接続のための直線の、または角度の付いた（図１）電気アタッチメントまたはコネクタ１として構成することができる。これは、例えば、コネクタデバイス、プラグコネクタ、ブッシングコネクタ、ピンコネクタ／タブコネクタまたはハイブリッドコネクタ、ヘッダまたはアタッチメントヘッド、（取付）ブッシング、（取付）プラグ、ブッシングレセプタクルおよび／またはプラグレセプタクル、（フライング）カップリング、インタフェース（物理的）、インタフェースなどである。これにより、アタッチメントまたはコネクタ１は、特に、自動車分野または非自動車分野、例えば電気工学分野の電気、電子、電気光学、電気機械デバイス０、例えばモジュール０、器具０、装置０、機構０、システム０などとして構成されることが好ましいデバイス０のアタッチメントまたはコネクタである。
【００２６】
本発明によるコネクタ１および相手側電気コネクタ５は、ここではプラグ−ブッシング対として構成される。コネクタ１および相手側コネクタ５の構造（例えばハウジング部分、差し込みまたは案内部分など）は相補的であり、領域および／または関連する相補部分（例えば電気／電子／光学コンタクト部分、機械的コーディング、掛止デバイスなど）などにおいて同様であるか、または対応する。言い換えると、コネクタ１に関する説明は、静的／運動学的に調和して（対応する構造または部分）、または相手側コネクタ５に対して静的／運動学的に反対に（相補構造または部分）当てはまり、逆もまた同様である。
【００２７】
コネクタ１（図１および図２参照）は、いずれの場合も１つの遮蔽された電気コンタクトデバイスアセンブリ１０（図３〜図５）を、そのハウジング２内で、２つのコンタクトチャンバ１３内に配置されて有する。それぞれのアセンブリ１０は電気コンタクトデバイス３００を有し、この電気コンタクトデバイス３００は、ブッシングコンタクトデバイス３００として構成され、送電線３が取り付けられ、特に圧着される。送電線の送出側（送出方向Ａ）で、送電線３が、シール２０によりハウジング２に対して封止され、カバー３０によりハウジング２が閉じられる。相手側コネクタ５のピンまたはタブコンタクトデバイス５３として構成された電気コンタクトデバイス５３（図２）は、コンタクトデバイス３００に差し込み可能であり、または差し込まれる。
【００２８】
コンタクトデバイスアセンブリ１０（図３〜図５参照）は、この場合ハウジングシェル１００、２００として構成された上部ハウジング１００および下部ハウジング２００を、ハウジング１００、２００として備える。組立状態（図４参照）で、２つのハウジングシェル１００、２００がコンタクトチャンバ１３０、２３０を構成し、ブッシングコンタクトデバイス３００のコンタクト部分３１０（ブッシング３１０）が、このコンタクトチャンバ１３０、２３０内に受け入れ可能であり、または受け入れられる。これとは別に、コンタクトデバイス３００の残りの部分（圧着部分３２０）が、アセンブリ１０の第２のキャビティ内に受け入れ可能であり、または受け入れられる。このキャビティは、この場合、流体−機械的に接続される点で、コンタクトチャンバ１３０、２３０に当然接続される。
【００２９】
コンタクトデバイスアセンブリ１０のハウジング１００、２００は、シールド１９０、２９０により囲まれる。このシールド１９０、２９０は、上部遮蔽ケーシング１９０および下部遮蔽ケーシング２９０を含み、これらは少なくとも部分的に、しかし好ましくは全体的にアセンブリ１０の周りに周方向（コネクタ１のプラグイン方向Ｓに垂直）に重なる。下部ハウジング２００の領域では、下部遮蔽ケーシング２９０が開き、内向きの遮蔽ばね２９２と共に構成される。コネクタ１と相手側コネクタ５とが共に差し込まれた状態で、相手側コネクタ５のシールドが遮蔽ばね２９２に電気的に接触することができる。さらに、上部遮蔽ケーシング１９０と下部遮蔽ケーシング２９０とは、電気的に接続可能であり、または送電線３のシールド９０により接続される。
【００３０】
ブッシングコンタクトデバイス３００のコンタクト部分３１０は、コンタクトデバイスアセンブリ１０のコンタクトチャンバ１３０、２３０内に受け入れられて、コンタクト部分３１０の相手側コンタクトレセプタクル３５０が相手側コンタクトデバイス５３を受け入れることができるようにする。コンタクトデバイス３００と相手側コンタクトデバイス５３との良好な電気接触のために、コンタクトばねアームおよび／またはコンタクトばねフィン３５５を有する電気機械コンタクトディスク３５５を、相手側コンタクトレセプタクル３５０の側壁の内側に設けてもよい（図４。図３では省略）。
【００３１】
ここで、コンタクト部分３１０もしくはブッシングコンタクトデバイス３００が、コンタクトチャンバ１３０、２３０内でコネクタ１のプラグイン方向Ｓに停止され、またはコンタクト部分３１０もしくはコンタクトデバイス３００がプレストレス力Ｆによってコンタクト部分３１０に着座され、またはコンタクトデバイス３００が、機械的にプレストレスを与えられてコンタクトチャンバ１３０、２３０内に着座される。以下の説明は、コンタクトデバイス３００のコンタクト部分３１０に関するものであるが、同様にコンタクトデバイス３００全体にも関連し得る。
【００３２】
この機械的プレストレス力Ｆは、コンタクトデバイスの上ばね４００として構成されたコンタクトデバイス止めばね４００により、コンタクト部分３１０（図４参照）の少なくとも１つの位置でコンタクト部分３１０に及ぼされる。この場合、コンタクト部分３１０は上ばね４００内に受け入れられ、上ばね４００は、コンタクトデバイスアセンブリ１０のコンタクトチャンバ１３０、２３０内に受け入れられる。この場合、コンタクトチャンバ１３０、２３０を主にまたは略完全に塞ぐ明確な外側限界を有する上ばね４００は、コンタクトチャンバ１３０、２３０内に嵌め合いにより受け入れられるが、上ばね４００の開いた面と、適切であれば、ばねデバイス４２０を有する前端壁４１１上、および／またはコンタクト部分３１０の突起３１２によるコンタクトチャンバ１３０、２３０のベース２１６上の間隙とを除く。
【００３３】
この場合、上ばね４００（図４参照）からのプレストレス力Ｆは、コンタクト部分３１０と圧着部分３２０との間の領域で、コネクタ１のプラグイン方向Ｓと反対にコンタクトデバイス３００に作用する。上ばね４００がコンタクトデバイス３００に、またはコンタクトデバイス３００内に、例えばコンタクト部分３１０の自由端で係合可能な代わりの位置および／または追加の位置が可能である。本実施形態では、例えば、上ばね４００の内向きの切欠きにより、コンタクト部分３１０の自由端にプレストレス力を加えることが可能である。この場合、切欠き自体を、ひいてはばねデバイスまたはばねアームとして構成してもよい。
【００３４】
この場合、コンタクト部分３１０は上ばね４００内に受け入れられて、上ばね４００がプラグイン方向Ｓと反対のコンタクト部分３１０の動きをある程度防止、すなわち阻止し、コンタクトチャンバ１３０、２３０内でプレストレスを与えてコンタクト部分３１０を停止させるようにする。このために、上ばね４００は、コンタクト部分３１０と圧着部分３２０との間の上部および外側の、プレストレス縁部４３０として構成されたプレストレス部分により位置付けされる。コンタクト部分３１０は、コンタクトチャンバ１３０、２３０のベース２１６、または下部ハウジング２００のベース壁２１６と略反対側に位置付けされる。言い換えると、コンタクト部分３１０は、プレストレス縁部４３０とベース２１６との間に締め付けられる。
【００３５】
所与の公差の場合、上ばね４００がコンタクトチャンバ１３０、２３０内に十分に正確に嵌入できないため、上ばね４００自体がコンタクトチャンバ１３０、２３０内で、コンタクト部分３１０とコンタクトチャンバ１３０、２３０のカバー１１１または上部ハウジング１００のカバー壁１１１との間に、機械的にプレストレスを与えられて位置付けされる。機械的なプレストレスは、上ばね４００、したがって好ましくは実際の上ばね４００の止め本体４１０と、上部ハウジング１００のカバー１１１との間でばねデバイス４２０から生じる。あるいは、ばねデバイス４２０を独立した構成要素として、および／またはカバー１１１上に設けてもよい。
【００３６】
図示した実施形態では、ばねデバイス４２０は、上ばね４００内において上ばね４００の前端壁４１１に一体化されることが好ましい。前端壁４１１の好ましくはＵ字型の貫通スロット４２１がばねデバイス４２０を切って、前端壁４１１のないばねアーム４２２として構成される。そのような２つのばねアーム４２２が、前端壁４１１に構成されることが好ましい。取付状態で、コンタクトチャンバ１３０、２３０のカバー１１１の関連する作動突起１１２がそれぞれのばねアーム４２２を押し、ばねアーム４２２は止め本体４１０をコンタクト部分３１０、圧着部分３２０、またはコンタクト部分３１０と圧着部分３２０との間の移行領域に押し付ける。
【００３７】
図７および図８は、本件において使用される上ばね４００を２つの異なる斜視図で示す。この場合、上ばね４００は、その外側形状、すなわち１つまたは複数の開いた面を除いた明確な外形に関して、略立方形であるように構成される。上ばね４００は、好ましくは単一の打ち抜きブランクから打ち抜かれ、形状に曲げられ、前端壁４１１から下方へ、比較的長い長手方向側壁４１２、２つの横側壁４１４、４１５、および比較的短い長手方向側壁４１３を含む。
【００３８】
止め本体４１０の前端壁４１１には、好ましくは２つのばねデバイス４２０が、前端壁４１１の内部に位置付けされて構成される。言い換えると、応力を与えない状態では、２つのばねデバイス４２０は前端壁４１１から内方または外方へ突出しない。応力を与えた状態では、２つのばねデバイス４２０が前端壁４１１から内方へ上ばね４００または止め本体４１０内へ突出する。さらに、比較的短い長手方向側壁４１３またはその自由端が、上ばね４００のプレストレス部分４３０またはプレストレス縁部４３０を形成する。
【００３９】
上ばね４００は、貫通スロット４１２を除いて略閉じた面として幅狭の前端壁４１１を備え、幅狭の比較的長い長手方向側壁４１２を略閉じた面として備え、幅狭の比較的短い長手方向側壁４１３を部分的に開いた面として備え、２つの幅広の横側壁４１４、４１５を略閉じた面として備えることが好ましい。幅狭の前端壁４１２と反対側で、上ばね４００または止めばね４００が開き、すなわち、ここに開いた前端部４１６を有することが好ましい。
【００４０】
組立状態（図２および図４参照）において、コンタクト部分３１０が上ばね４００内に受け入れられ、コンタクト部分３１０の少なくとも１つの突起３１２、しかし好ましくは２つの突起３１２が、そこで開いた上ばね４００から下へ突出する状態になっている。コンタクトデバイス３００は、比較的短い長手方向側壁４１３の真下で横方向に開いた上ばね４００からその圧着部分３２０と共に延び、この長手方向側壁４１３は、プレストレス縁部４３０としてのその自由端によりコンタクト部分３１０の上部に着座され、組立状態でコンタクト部分３１０をベース２１６上に押す。
【００４１】
上ばね４００が上に位置するコンタクト部分３１０は、コンタクトチャンバ１３０、２３０内に受け入れられ、カバー１１１の作動突起１１２がばねデバイス４２０を押し、ばねデバイス４２０は止め本体４１０を押し、止め本体４１０は、そのプレストレス縁部４３０により、コンタクト部分３１０（および圧着部分３２０）をベース２１６の方向へ押す。このベース２１６上には、上ばね４００から突出する突起３１２によって、コンタクト部分３１０が載置される。ベース壁２１６を通してこれらの突起３１２を作ることも当然可能である。
【００４２】
本発明を、コンタクトチャンバ１３０、２３０を有するコンタクトデバイスアセンブリ１０からコンタクトチャンバ１３を有するコネクタ１に変えることが当然可能である。さらに、勿論、コンタクトデバイス３００を、コンタクトチャンバ１３、１３０／２３０内で、プラグイン方向Ｓだけでなく、加えてまたはあるいは、送電線３の送出方向Ａまたは別の方向などの少なくとも１つの他の空間方向に同様に停止させ、または支持することが可能である。
【符号の説明】
【００４３】
０  自動車分野または非自動車分野のデバイス、モジュール、器具、装置、機構、システムなど
１  好ましくは自動車または電気工学分野の、低／中／高電圧または電流接続のための直線の（例えば約０°／１８０°）または角度の付いた（例えば約９０°）電気コネクタ［相手側コネクタ］：例えばコネクタデバイス［対向コネクタデバイス］プラグコネクタ、ブッシングコネクタ、ピンコネクタ／タブコネクタまたはハイブリッドコネクタ、ヘッダまたはアタッチメントヘッド、（取付）ブッシング、（取付）プラグ、ブッシングレセプタクルおよび／またはプラグレセプタクル、（フライング）カップリング、インタフェース（物理的）、インタフェースなど
２  ハウジング、プラグハウジング
３  送電線、電気ケーブル、ケーブルハーネスなど
５  相手側電気コネクタ［コネクタ］：実際の機械および／または電気インタフェースの領域、またはコネクタ１と相補的に形成された重なり位置における相手側コネクタデバイス［コネクタデバイス］
１０  電気コンタクトデバイスアセンブリ
１３  コンタクトチャンバ
２０  シール
３０  カバー
５３  相手側電気コンタクトデバイス、ピン／タブコンタクトデバイス／ブッシングコンタクトデバイス
９０  送電線３の遮蔽
１００  ハウジング（シェル）、上部ハウジング
１１１  カバー、ハウジング１００内のカバー壁
１１２  ばねデバイス４２０の作動突起
１３０  コンタクトデバイス３００のコンタクトチャンバ
１９０  上部遮蔽ケーシング
２００  ハウジング（シェル）、下部ハウジング
２１６  ベース、ハウジング２００内のベース壁
２３０  コンタクトデバイス３００のコンタクトチャンバ
２９０  下部遮蔽ケーシング
２９２  遮蔽ばね
３００  電気コンタクトデバイス、ブッシングコンタクトデバイス／ピン／タブコンタクトデバイス
３１０  コンタクト部分、ブッシング／タブ
３１２  突起
３２０  圧着部分
３５０  相手側コンタクトデバイス５３を受け入れるための相手側コンタクトレセプタクル
３５５  コンタクトばねアームおよび／またはコンタクトばねフィンを有する電気機械コンタクトディスク
４００  コンタクトデバイス止めばね、コンタクトデバイス上ばね
４１０  止め本体
４１１  （幅狭の）前端壁、略閉じた面
４１２  （幅狭の長い）長手方向側壁、略閉じた面
４１３  （幅狭の短い）長手方向側壁、略開いた面
４１４  （幅広の）横側壁、略閉じた面
４１５  （幅広の）横側壁、略閉じた面
４１６  開いた前端部
４２０  ばねデバイス
４２１  貫通スロット
４２２  ばねアーム
４３０  プレストレス部分、プレストレス縁部
Ａ  送電線３の送出方向
Ｆ  コンタクトデバイス３００へのプレストレス力
Ｓ  コネクタ１のプラグイン方向
【図１】
2017098242.tif 000003
【図２】
2017098242.tif 000004
【図３】
2017098242.tif 000005
【図４】
2017098242.tif 000006
【図５】
2017098242.tif 000007
【図６】
2017098242.tif 000008
【図７】
2017098242.tif 000009
【図８】
2017098242.tif 000010
【外国語明細書】
2017098242000001.pdf